(57)【特許請求の範囲】
【請求項１】
半導体スイッチ素子を駆動するための巻線を備えた変圧器により自励発振動作する自励発振型電力変換器の負荷電流または負荷電流相当の電流を検出し、その電流値が所定値以下になったときは、前記半導体スイッチ素子のゲート端子に間欠駆動パルスを与えて自励発振型電力変換器を間欠駆動するに当たり、
前記間欠駆動パルスを前記自励発振の共振周期に同期させるとともに、この間欠駆動パルスを前記半導体スイッチ素子のゲート端子に与える期間を半導体スイッチ素子のゲート電圧が負でない期間とすることを特徴とする自励発振型電力変換器の間欠駆動方法。
【請求項２】
半導体スイッチ素子を駆動するための巻線を備えた変圧器により、自励発振動作する自励発振型電力変換器において、
負荷電流または負荷電流相当の電流を検出する電流検出手段と、前記半導体スイッチ素子のゲート電圧を検出する電圧検出手段と、前記負荷電流または負荷電流相当の電流値が所定値以下で、かつ前記半導体スイッチ素子のゲート電圧値が負電圧でない期間に、前記自励発振の共振周期に同期した間欠駆動パルスを半導体スイッチ素子のゲート端子に印加するゲート駆動手段とを設けたことを特徴とする自励発振型電力変換器の間欠駆動装置。
【発明の詳細な説明】
【０００１】
【発明の属する技術分野】
この発明は、直流電源から半導体スイッチ素子を駆動する巻線を具備した変圧器を介して任意の直流出力に変換する自励発振型電力変換器の駆動方法、特に軽負荷時において自励発振の共振周期と同期した間欠パルスで駆動することにより、軽負荷時の電力損失を低減する間欠駆動方法および装置に関する。
【０００２】
【従来の技術】
図３に従来例を示す。
すなわち、直流電源１１、コンデンサ４、変圧器一次巻線２１、半導体スイッチ素子７１および電流制限用抵抗９１を直列に接続し、半導体スイッチ素子７２とコンデンサ５との並列回路をコンデンサ４と変圧器一次巻線２１との間に並列に接続し、変圧器駆動巻線２４を半導体スイッチ素子７１のゲート・ソース間に抵抗８１を介して、また、変圧器駆動巻線２５を半導体スイッチ素子７２のゲート・ソース間に抵抗８２を介してそれぞれ接続し、半導体スイッチ素子７１のゲート・ソース間にはダイオード１１１およびトランジスタ１０１と、直流電源１２、トランジスタ１０２およびダイオード１１２をそれぞれ接続し、半導体スイッチ素子７１と電流制限用抵抗９１の接続点には電流検出回路１３１およびトランジスタ１０１のベースにベース抵抗９２を介して接続し、電流検出回路１３１からパルス発生回路１４１に、パルス発生回路１４１からトランジスタ１０１，１０２のベース端子にそれぞれ接続し、変圧器二次巻線２２，２３にはダイオード６１，６２および平滑用コンデンサ３を接続し、直流出力から出力電圧検出，調節回路１２１を介して接続するようにしている。
【０００３】
以上のような回路で、電流検出回路１３１は抵抗９１の電圧を検出する。抵抗９１の電圧は半導体スイッチ素子７１に流れる電流にほぼ比例しており、またこの電圧を平滑することにより、等価的に負荷電流を検出することになる。電流検出回路１３１により検出した値が、或る任意の値以下となった（軽負荷時となった）場合、パルス発生回路１４１が動作し、或る任意の期間トランジスタ１０１がオンし、半導体スイッチ素子７１のゲート・ソース間を短絡し、半導体スイッチ素子７１をオフさせる。その後トランジスタ１０１をオフし、トランジスタ１０２を或る任意の期間オンさせ、自励発振動作を開始させる。電流検出回路１３１により検出した値が、或る任意の値以上となった（重負荷時となった）場合、自励発振動作を継続させ、トランジスタ１０１，１０２は動作させない。
つまり、軽負荷時において自励発振動作を停止させることにより、半導体スイッチ素子７１，７２の出力容量、コンデンサ４，５の充放電エネルギーなどが小さくなり、電力損失が低減する。
【０００４】
図４に、図３における軽負荷時の間欠パルス（トランジスタ１０１，１０２の駆動電圧）波形、および半導体スイッチ素子７１のゲート電圧波形を示す。トランジスタ１０１はオフ、トランジスタ１０２がオンし、半導体スイッチ素子７１に正のゲート電圧が印加され、自励発振動作が開始する。自励発振動作が継続している期間は変圧器一次巻線２１から変圧器二次巻線２２，２３を介して負荷に電力が供給される。その後、トランジスタ１０１がオンすることにより、半導体スイッチ素子７１には正のゲート電圧が印加されないため、オンしない。しかしながら、半導体スイッチ素子７１には出力容量が存在するため共振電流は減衰しながら流れ続け、変圧器駆動巻線２４，２５には共振電圧が印加される。
【０００５】
図５にトランジスタ１０１がオフ、トランジスタ１０２がオンした直後の波形の一例を示す。同図の破線は、トランジスタ１０２がＴ０でオンしない場合、共振電流が減衰しながら流れることによって発生するゲート電圧であり、Ｔ１で零電圧となる。ここに示す波形は、負のゲート電圧が印加されている期間においてＴ０でトランジスタ１０２がオンし、負から正にゲート電圧が反転している場合のものである。
【０００６】
【発明が解決しようとする課題】
図３のような回路では、共振電圧が負の期間において、トランジスタ１０２がオンする場合があり、変圧器駆動巻線２４，２５の電圧を負から正に反転させるためのエネルギーが必要となる。また、共振電圧が半導体スイッチ素子７２を十分オンさせる電圧であれば、トランジスタ１０２がオンすることにより半導体スイッチ素子７１がオンし、半導体スイッチ素子７１，７２に短絡電流が流れる場合もある。
したがって、この発明の課題は、自励発振型電力変換装置における軽負荷時の電力損失を低減させることにある。
【０００７】
【課題を解決するための手段】
このような課題を解決するため、請求項１の発明では、半導体スイッチ素子を駆動するための巻線を備えた変圧器により自励発振動作する自励発振型電力変換器の負荷電流または負荷電流相当の電流を検出し、その電流値が所定値以下になったときは、前記半導体スイッチ素子のゲート端子に間欠駆動パルスを与えて自励発振型電力変換器を間欠駆動するに当たり、
前記間欠駆動パルスを前記自励発振の共振周期に同期させるとともに、この間欠駆動パルスを前記半導体スイッチ素子のゲート端子に与える期間を半導体スイッチ素子のゲート電圧が負でない期間とすることを特徴とする。
【０００８】
請求項２の発明では、半導体スイッチ素子を駆動するための巻線を備えた変圧器により、自励発振動作する自励発振型電力変換器において、
負荷電流または負荷電流相当の電流を検出する電流検出手段と、前記半導体スイッチ素子のゲート電圧を検出する電圧検出手段と、前記負荷電流または負荷電流相当の電流値が所定値以下で、かつ前記半導体スイッチ素子のゲート電圧値が負電圧でない期間に、前記自励発振の共振周期に同期した間欠駆動パルスを半導体スイッチ素子のゲート端子に印加するゲート駆動手段とを設けたことを特徴とする。
【０００９】
【発明の実施の形態】
図１はこの発明の第１の実施の形態を示す回路図である。
これは、図３に示す従来の回路に、ゲート電圧検出回路１６１および自励発振同期回路１５１を付加し、ゲート電圧検出回路１６１が半導体スイッチ素子７１のゲート電圧値を検出し、自励発振同期回路１５１がゲート電圧が負電圧でない期間にトランジスタ１０２をオンさせる。
【００１０】
図２に、図１における軽負荷時の間欠パルス（トランジスタ１０１，１０２の駆動電圧）波形、および半導体スイッチ素子７１のゲート電圧波形を示す。
ｔ０の時点でトランジスタ１０１がオフとなるが、トランジスタ１０２はただちにオンとはならず、ゲート電圧が負電圧から零電圧になったｔ１の後にオンする。これにより、共振電圧が負の期間においてトランジスタ１０２がオンすることはなく、変圧器駆動巻線２４，２５の電圧を零から正にするためのエネルギーだけでよく、また、半導体スイッチ素子７１，７２に短絡電流が流れることもない。
【００１１】
図１では、電流検出回路１３１は抵抗９１の電圧を検出することにより等価的に負荷電流を検出しているが、これ以外でも負荷電流を等価的に検出できるものであれば良く、勿論負荷電流をそのまま検出しても良い。また、ゲート電圧検出回路においてもゲート電圧値を等価的に検出できるものであれば、ゲート電圧そのものを検出しなくても良い。
図１は自励発振型電流共振コンバータの場合であるが、半導体スイッチ素子を駆動するための巻線を具備する変圧器により自励発振動作する電力変換装置（例えばリンギング・チョーク・コンバータなど）で積極的に間欠駆動する場合、同様な問題が発生する場合があるため、この発明を同様にして適用することができる。
【００１２】
【発明の効果】
この発明によれば、自励発振型電力変換器の間欠駆動において、ゲートに負の共振電圧が印加されていない期間に正電圧の駆動パルスを印加できるため、変圧器駆動巻線電圧を零から正にするためのエネルギーだけでよく、また半導体スイッチに短絡電流が流れないため、結果的に軽負荷時の電力損失を低減することが可能となる利点が得られる。
【図面の簡単な説明】
【図１】この発明の実施の形態を示す構成図である。
【図２】図１の動作説明図である。
【図３】従来例を示す回路図である。
【図４】図３の動作説明図である。
【図５】図３の或る時点での動作説明図である。
【符号の説明】
１１，１２…直流電源、２…変圧器、２１…変圧器一次巻線、２２，２３…変圧器二次巻線、２４，２５…変圧器駆動巻線、３…平滑用コンデンサ、４，５…コンデンサ、６１，６２，１１１，１１２…ダイオード、７１，７２…半導体スイッチ素子、８１，８２…ゲート抵抗、９１…電流制限用抵抗、９２…ベース抵抗、１０１，１０２…トランジスタ、１２１…出力電圧検出・調節回路、１３１…電流検出回路、１４１…パルス発生回路、１５１…自励発振同期回路、１６１…ゲート電圧検出回路。
【図１】
0004337235.tif 000002
【図２】
0004337235.tif 000003
【図３】
0004337235.tif 000004
【図４】
0004337235.tif 000005
【図５】
0004337235.tif 000006